(57)【要約】【課題】本発明は、リモコン内に湿気が入らないように気密性を保持するともに、内蔵されているスピーカの音圧による振動ノイズを低減することができる給湯器用リモートコントローラを提供することを目的とする。【解決手段】前面ケース２と背面ケース３とで構成されたリモコンケースと、前記リモコンケース内に内蔵され電子部品などが実装されたリモコン基板６およびガイダンスなどを発生するスピーカ７と、前記前面ケース２の内側に設けられ前記スピーカ７が配置されるスピーカ収納２ｂ部と、前記背面ケース３の前記スピーカ収納部２ｂと対向する面に形成された開口部３ａと、前記開口部３ａに設けられ、その両面にかかる圧力の差によって変形するダイヤフラム状のシール部材８とを備えたものである。【選択図】  図２
2011043312.tif 000002
【特許請求の範囲】
【請求項１】
前面ケースと背面ケースとで構成されたリモコンケースと、
前記リモコンケース内に内蔵され電子部品などが実装されたリモコン基板およびガイダンスなどを発生するスピーカと、
前記前面ケースの内側に設けられ前記スピーカが配置されるスピーカ収納部と、
前記背面ケースの前記スピーカ収納部と対向する面に形成された開口部と、
前記開口部に設けられ、その両面にかかる圧力の差によって変形するダイヤフラム状のシール部材とを
備えたことを特徴とする給湯器用リモートコントローラ。
【請求項２】
前記背面ケースと前記シール部材を２色成形で一体的に形成したことを特徴とする請求項１に記載の給湯器用リモートコントローラ。
【請求項３】
前記シール部材に、前記リモコン基板に外部からの電源を供給するリード線を密閉状態で通す穴部を備えたことを特徴とする請求項１または２のいずれかに記載の給湯器用リモートコントローラ。
【請求項４】
前記背面ケースに、前記開口部と連通し前記給湯器用リモートコントローラを取り付ける取付け壁側に開口した凹部を形成するとともに、該凹部が前記取付け壁内の空間または前記給湯器用リモートコントローラが取り付けられる浴室内空間に連通するように構成したことを特徴とする請求項１から３のいずれか１つに記載の給湯器用リモートコントローラ。
【発明の詳細な説明】
【技術分野】
【０００１】
本発明は、給湯器の作動を遠隔操作するリモートコントローラに関するものであって、特に浴室の壁面に設置されるリモートコントローラに関するものである。
【背景技術】
【０００２】
浴槽や給湯栓へ給湯する給湯器を遠隔操作するリモートコントローラ（以下、リモコンと記す）は、浴室内の壁面に設置されるため、内蔵される電子部品を水や湿気から保護するために水密性、気密性が要求される。リモコンの本体ケースには、電子部品への電源を外部から供給するためのリード線を通過させる穴部が設けられるが、その穴部から水の浸入を防止するためにパッキンが設けられている。しかしながら、外気の温度変化により密閉されたリモコン内と外気圧との間に気圧差が生じるため空気の熱膨張収縮が起こる。そして、この熱膨張収縮により、例えば、操作シートとリモコンケースとの接着面に隙間が生じてしまい、密封性が低下するという問題点があった。これらを解決するために、従来からリード線用の穴部にダイヤフラム状のパッキンを設け内外圧力の差を緩和する手段が設けられている。（例えば、特許文献１参照）
【先行技術文献】
【特許文献】
【０００３】
【特許文献１】実公平０８−７７５７号公報
【発明の概要】
【発明が解決しようとする課題】
【０００４】
近年、リモコン内にアラームやガイダンスを発声させるスピーカが内蔵されているものがある。しかしながら、スピーカから音が発生する際、スピーカの後方には逆位相の音圧が発生し、その音圧がリモコンの背面ケースを振動させ、振動ノイズを発生させるという問題点があった。
【０００５】
本発明は、上記課題を解決するものであり、リモコン内部の気密性・水密性を保持するだけでなく、内蔵されているスピーカの音圧により生じる振動ノイズを低減することができる給湯器用リモコンを提供することを目的とする。
【課題を解決するための手段】
【０００６】
本発明による給湯器用リモートコントローラは、前面ケースと背面ケースとで構成されたリモコンケースと、リモコンケース内に内蔵され電子部品などが実装されたリモコン基板およびガイダンスなどを発生するスピーカと、前面ケースの内側に設けられスピーカが配置されるスピーカ収納部と、背面ケースのスピーカ収納部と対向する面に形成された開口部と、開口部に設けられ、その両面にかかる圧力の差によって変形するダイヤフラム状のシール部材とを備えたものである。
【発明の効果】
【０００７】
本発明によれば、リモコン内部に水や湿気が入ることを防止できると共に、スピーカの音圧により生じる振動ノイズを低減することができるという効果がある。
【図面の簡単な説明】
【０００８】
【図１】本発明の実施の形態１に係る給湯器用リモコンの斜視図である。
【図２】本発明の実施の形態１に係る給湯器用リモコンの断面図である。
【図３】本発明の実施の形態１に係る給湯器用リモコンの分解斜視図である。
【図４】本発明の実施の形態１に係る給湯器用リモコンの背面ケースに設けたシール部材を示す拡大断面図である。
【図５】本発明の実施の形態１に係る給湯器用リモコンの背面ケースに設けたシール部材を示す斜視図である。
【図６】本発明の実施の形態２に係る給湯器用リモコンの断面図である。
【発明を実施するための形態】
【０００９】
実施の形態１．
以下、図１乃至図５に基づいて本発明の実施の形態１について説明する。
図１は本発明の実施の形態１に係る給湯器用リモコンの斜視図、図２は図１に示すＡ−Ａ断面図、図３は給湯器用リモコンの分解斜視図である。図４は背面ケースに設けたシール部材を示す拡大断面図、図５はその斜視図である。図において、１はリモコン本体、２はリモコンケースの前面ケース、３はリモコンケースの背面ケース３である。リモコンケース２、３は、ＡＢＳ（アクリルニトリル・ブタジエン・スチレン）等のスチレン系の樹脂から形成されている。４は前面ケース２側に、対向する面の外周を接着等により気密状態となるように取り付けられた操作シート、５は前面ケース２に設けられ、後述のリモコン基板６に実装される表示部５ａが外部から視認可能なように構成された表示パネルである。リモコン本体１には、表示部５ａなどの電子部品が実装されているリモコン基板６と、アラームやガイダンスを発声させるスピーカ７が内蔵されている。２ａは前面ケース２に形成された開口部であり、スピーカ７と対向する部分に形成されている。スピーカ７は前面ケース２の内側に形成されたスピーカ収納部２ｂに配置されている。背面ケース３のスピーカ収納部２ｂと対向する位置には背面開口部３ａが形成されている。８は弾力性のある熱可塑性エラストマーからなるダイヤフラム状のシール部材であり、背面開口部３ａを覆うように背面ケース３と一体的に設けられている。ダイヤフラム状のシール部材８は、その両面にかかる圧力の差によって変形するものであり、実施の形態１によれば、操作シート４が変形する圧力よりも低い圧力で変形するように設定されている。シール部材８にはリモコン基板６に電源供給するためのリード線９を外部に引き出すリード線用穴８ａが設けられており、リード線９はシール部材８を介してリモコン本体から気密状態に引き出されている。また、１０は前面ケース２に設けた操作シート４を介して押圧操作されるスイッチである。
【００１０】
上記の構成により、リモコンケース２、３を組み立てた状態において、リモコン基板６、スピーカ７が内蔵されているリモコン本体１内は外気と遮断され密閉性を有している。
【００１１】
なお、背面ケース３とシール部材８を２色成形で一体的に形成すれば、材料同士の接着性が高くなり、さらに密閉性に優れる。また、２色成形により、部品点数の削減及び組立工数を削減でき安価なリモコンを提供することができる。
【００１２】
実施の形態１は上述のように構成されているので、湿気と結露に弱い電子部品が実装されたリモコン基板６が収納されているリモコン本体１の内部を完全密閉でき、湿気と結露による水分が基板パターンを腐食してしまうことを防止できる。また、温度変化を生じた場合、リモコン本体１内の空気は熱膨張収縮が起こるが、本実施の形態１では、シール部材８をダイヤフラム形状で構成したので、リモコン本体１内に差圧が生じてもシール部材８が弾性変形し、圧力差を吸収することができる。つまり、内部の空気が膨張しても内圧が上昇してしまうことを防止でき、操作シート４が浮き上がってしまうことを防止できる。また、内部の空気が収縮しても内圧が降下してしまうことを防止でき、かつ外部とつながる孔８ａから湿った空気を吸い込むことを防ぐことができる。
【００１３】
また、スピーカ７を駆動して前方に音声を発した場合、スピーカ７の後方には同時に逆位相の音圧が発生する。本実施の形態１では、スピーカ７の後方側に弾力性のあるシール部材８を配置したので、シール部材８により音圧が吸収され、背面ケース３には音圧振動が伝わりづらくなり、振動ノイズを軽減することができる。
【００１４】
また、シール部材８をスピーカ７の背面に配置することで、振動ノイズを軽減することができるので、容易な防振構造を実現できる。
【００１５】
実施の形態２．
図６は本発明の実施の形態２を示すリモコン本体の断面図である。実施の形態１の構成に相当する構成には、同じ符号を付し説明は省略する。図において、１１は背面ケース３開口部３ａと連通し背面側に開口した凹部、１００はリモコン本体１を取り付ける浴室などの取付け壁であり、凹部１１は背面ケース３と取付け壁１００との間に空間が形成されるように設けられている。なお、凹部１１は背面開口部３ａに設けたられたシール部材８が変形しても取付け壁１００に当たらないような深さを有している。１００ａは取付け壁１００に設けられたリード線９の引き出し穴であり、リード線９はシール部材８のリード線用穴８ａを通った後、引き出し穴１００ａに入るように配置されている。
【００１６】
リード線用穴８ａと引き出し穴１００ａとが連通しているので、リモコン本体１を取付け壁１００に取り付ける際、圧力を空間に逃がすことが可能となり、リモコン本体１を取付け壁１００に密着に取り付けることが可能となる。
【００１７】
実施の形態２は上記のように構成されているので、シール部材８が差圧により弾性変形しても凹部１１内で変形するので取付け壁１００に当たることはない。したがって、シール部材８の形状を任意に設定することができる。
【００１８】
なお、本実施の形態では、凹部１１を取付け壁１００の引き出し穴１００ａに延長した例を示したが、凹部をリモコンの背面ケースの下端まで延長して設け、リモコンケースの下部から浴室内まで凹部の空間が達するようにしてもよい。
【産業上の利用可能性】
【００１９】
以上のように、本発明は浴室の壁面などに設けられる給湯器用リモコンに使用することができる。
【符号の説明】
【００２０】
１  リモコン本体
２  前面ケース
２ａ  開口部
２ｂ  スピーカ収納部
３  背面ケース
３ａ  背面開口部
４  操作シート
５  表示パネル
５ａ  表示部
６  リモコン基板
７  スピーカ
８  シール部材
８ａ  リード線用穴
９  リード線
１０  スイッチ
１１  凹部
１００  取付け壁
１００ａ  引き出し穴
【図１】
2011043312.tif 000003
【図２】
2011043312.tif 000004
【図３】
2011043312.tif 000005
【図４】
2011043312.tif 000006
【図５】
2011043312.tif 000007
【図６】
2011043312.tif 000008